(57)【特許請求の範囲】
【請求項１】
ペンを固定するための固定部と係着用の器具を取り付けるための係着部とを設けたペンホルダーであり、固定部の一端にペンを通すための挿入孔と他端にクリップ部を有したペンのクリップの付け根を固定するための切りかきを設けたことを特徴とする、弾性のある板状の材質から成るペンホルダー。
【請求項２】
係着部が係着機能以外に、文房具、紙製品、事務用品、身の回り品のいずれかの機能を有していることを特徴とする、請求項１記載のペンホルダー。
【請求項３】
ペンを固定するための固定部と係着用の器具を取り付けるための係着部とを設けたペンホルダーであり、固定部の一端にペンを通すためのペン挿入部と他端にクリップ部を有したペンのクリップの付け根を固定するためのクリップ受止部を設けたことを特徴とする、弾性のある板状の材質から成るペンホルダー。
【請求項４】
ペンを通すためのペン挿入部の形状が渦巻状である、請求項３記載のペンホルダー。
【発明の詳細な説明】
【技術分野】
【０００１】  本発明は、たとえばノートやメモ帳に貼付けて使用する、ペンホルダーに関するものである。
【背景技術】
【０００２】  従来の技術（特許文献１）では、ペンを固定するために筒型の形状を使用する必要があった。
また筒型の形状を使わずに、ペンを固定する技術（特許文献２）では、ペンを持ち運ぶための安定した固定ができなかった。
【先行技術文献】
【０００３】
【特許文献１】特開２００２−３７０４９０号公報
【特許文献２】特開２００５−５９５６８号公報
【発明の概要】
【発明が解決しようとする課題】
【０００４】  特許文献１に記載されているような、従来のペンホルダーでは次のような欠点があった。
ペンを固定するためには、筒型の器具が必要であった。筒型の器具を成形するためには、複雑な加工が必要で、製造コストは高くなる。また筒型の器具の内寸よりペンが太い場合、ペンは筒に入らず、筒型の器具の内寸よりペンが細い場合にはしっかり固定されないなど、困ることが多かった。
持ち運び用ではないが、筒型の器具を利用しない特許文献２に記載のペンホルダーでは、ペンを固定する際に一箇所のみで固定するため脱落し易く、持ち歩きには不向きであった。
【課題を解決するための手段】
【０００５】  上記課題を解決するために本発明は、ペンを固定するための固定部と係着用の器具を取り付けるための係着部とを設け、固定部の一端にペンを通すためのペン挿入部と他端にクリップ部を有したペンのクリップの付け根を固定するためのクリップ受止部を設けた、弾性のある板状の材質から成るペンホルダーを提供する。
【発明の効果】
【０００６】  本発明は、上記のような単純な構成であるため、筒型の器具の成形に比べ加工が容易でコストの大幅な削減が見込める。
またペンがペン挿入部とクリップ受止部の二箇所でしっかりと固定されるので、持ち運びにも好適であるペンホルダーを提供することができる。
【図面の簡単な説明】
【０００７】
【図１】  本発明の実施例１を示す（ａ）正面図、（ｂ）使用状態説明図（前面）、（ｃ）使用状態説明図（背面）である。
【図２】  本発明の実施例２を示す（ａ）正面図、（ｂ）使用状態説明図（前面）、（ｃ）使用状態説明図（背面）である。
【図３】  本発明の実施例３を示す（ａ）正面図、（ｂ）使用状態説明図（前面）、（ｃ）使用状態説明図（背面）である。
【図４】  本発明の実施例４を示す（ａ）正面図、（ｂ）使用状態説明図（前面）、（ｃ）使用状態説明図（背面）である。
【図５】  本発明の実施例５を示す（ａ）正面図、（ｂ）使用状態説明図（前面）、（ｃ）使用状態説明図（背面）である。
【図６】  本発明の実施例６を示す（ａ）正面図、（ｂ）使用状態説明図（前面）、（ｃ）使用状態説明図（背面）である。
【図７】  本発明の実施例７を示す（ａ）（ｄ）正面図、（ｂ）使用状態説明図（前面）、（ｃ）使用状態説明図（背面）（ｅ）使用状態説明図である。
【図８】  本発明の実施例８を示す（ａ）正面図、（ｂ）使用状態説明図（前面）、（ｃ）使用状態説明図（背面）である。
【図９】  本発明の実施例９を示す（ａ）正面図、（ｂ）使用状態説明図（前面）、（ｃ）使用状態説明図（背面）である。
【図１０】  本発明の実施例１０を示す（ａ）正面図、（ｂ）使用状態説明図（前面）、（ｃ）使用状態説明図（背面）である。
【図１１】  本発明の実施例１を示す（ａ）正面図、（ｂ）平面図、（ｃ）左側面図、（ｄ）右側面図、（ｅ）底面図、（ｆ）背面図である。
【図１２】  本発明の実施例１０を示す（ａ）正面図、（ｂ）平面図、（ｃ）左側面図、（ｄ）右側面図、（ｅ）底面図、（ｆ）背面図である。
【発明を実施するための形態】
【０００８】  以下は図１（ａ）正面図を用いた、本発明の実施例１のペンホルダーの形態についての説明である。
本体１は、片側がペンを固定するための固定部３となり、もう一方は係着対象物８に係着させるための係着部６となる平面的構成から成る。
固定部３の一端にペンを通すためのほぼ楕円形状のペン挿入部４と、他端にペンのクリップ部の付け根を固定するためクリップ受止部５を設ける。
クリップ受止部５の形状は、外側から内側に向かうほど幅が狭くなる台形状の切り込みが用途に適している。
クリップ受止部５の形状は上記に限らず例えば、三角形や円でも良い。
また、切り込みに限らず例えば、孔であっても良い。
上記係着部６には磁石板、粘着シール、面ファスナーなどの係着用器具９を設ける。係着部６の係着強度を強くするために、係着部６と固定部３の間に切り込み７を設ける。
また本体１は弾性のある、たとえば、合成樹脂や金属、木材、革、布、紙などの板状の材質から成る。
【０００９】  次に、図１（ｂ）使用状態説明図（前面）、（ｃ）使用状態説明図（背面）を用いて、実施例１のペンホルダーの使用方法について説明する。
実施例１のペンホルダーを係着する際は、係着対象物８たとえばノートの表紙や携帯電話、冷蔵庫、ファイルなどのペン２を固定したい箇所に、係着用器具９にて取り付ける。具体的な例をあげると、係着用器具９がシールである実施例１のペンホルダーをノートに取り付けるには、ノートの表紙や裏表紙の端にシールの粘着を利用して実施例１のペンホルダーを貼付ける。その際、固定部３は係着対象物８であるノートの表紙から出ている状態で貼付ける。
実施例１のペンホルダーにペン２を固定する際は、係着対象物８から出ている状態の固定部３のペン挿入部４に、固定したいペン２を通したあと、ペン２のクリップ部の付け根をクリップ受止部５にかけることでペン２が固定される。ペン挿入部４にペン２を通す際は、表面、背面どちらからでも構わない。
【００１０】  なお、本発明はペン挿入部４に通り、固定用のクリップを有している物であれば固定が可能であるため、ペンに限らず、例えばカッターや、ペン型の消しゴム、携帯電話用のタッチペンなども固定可能である。
【００１１】  実施例１のペンホルダーの製造方法について説明する。
上記の板状の素材を実施例１のペンホルダーの形状で打ち抜き加工、またはレーザーカット加工で成形し、係着部６に係着用器具９を取り付ける。成形の方法は上記方法に限らず、射出成形などによる製造も可能である。
【００１２】  本発明によれば、実施例１のペンホルダーはペン挿入部４とクリップ受止部５の２箇所で固定し、かつ上記材質による弾性により、ペン２をしっかりと固定できるため、ペン２が脱落しづらく、ペン２の持ち運びが容易になる。
また、係着用器具９を磁石板、粘着シールなど、複数の種類を用意することで、多様な材質の係着対象物８に対応できる。
【００１３】  次に、本発明の実施例１とは異なる、実施例を説明する。
以下に示す実施例２から実施例９までは、材質、製造方法、本体１にペン２を固定する方法及び、固定部３の実施形態において実施例１と同様であり、ここでは主として異なる点について説明する。
【００１４】  以下は図２（ａ）斜視図を用いた、実施例２のペンホルダーの形態についての説明である。実施例２のペンホルダーにおける係着部６は、図２（ｄ）の様に折ることで、係着対象物８を挟み込めるようになっており、挟み込む内側両面に磁石板１０を設ける。
【００１５】  次に、図２（ｂ）使用状態説明図（前面）、（ｃ）使用状態説明図（背面）を用いて、実施例２のペンホルダーの使用方法について説明する。
実施例２のペンホルダーを係着する際は、ペンを固定したい係着対象物８、たとえば、ノートの表紙や本文（ほんもん）を挟むことによって、磁石板１０同士の磁力によって取り付けられる。
【００１６】  実施例２のペンホルダーは、係着に磁石板１０を使用するので付け外しが容易である。
【００１７】  以下は図３（ａ）正面図を用いた、実施例３のペンホルダーの形態についての説明である。
実施例３のペンホルダーにおける、係着部６には係着用器具９を設けない。
【００１８】  次に、図３（ｂ）使用状態説明図（前面）、（ｃ）使用状態説明図（背面）を用いて、実施例３のペンホルダーの使用方法について説明する。
実施例３のペンホルダーを係着する際は、係着対象物８である、布製品、革製品、合成樹脂製品、紙製品などの、たとえば、バッグ、ポーチ、衣類、手帳類のカバー、ケース、ノート、手帳、書籍、カレンダー、メモなどに、係着部６を縫い付けたり、溶着、接着、ステープラーなどで係着する。
【００１９】  実施例３のペンホルダーによる効果を説明する。
実施例３のペンホルダーは係着用器具９がないので、安価に製造することができ、また係着対象物が上記のような製品であるときに、縫い付け、溶着、接着、ステープラーなどの多様な係着方法に対応することができる。
【００２０】  以下は図４（ａ）正面図を用いた、実施例４のペンホルダーの形態についての説明である。
実施例４のペンホルダーにおける係着部６には、差し込む箇所に合わせた形状を設ける。
【００２１】  次に、図４（ｂ）使用状態説明図（前面）、（ｃ）使用状態説明図（背面）を用いて、実施例４のペンホルダーの使用方法について説明する。
実施例４のペンホルダーを係着する際は、係着部６を書籍の本文の間、または手帳やメモカバーや被服のポケットなどに差し込んで係着する。
【００２２】  実施例４のペンホルダーは、上記のようにポケットなどに差し込むだけで係着できるので、付け外しが容易である。また係着用器具９がないので、安価に製造することができる。
【００２３】  以下は、図５（ａ）正面図を用いた、実施例５のペンホルダーの形態についての説明である。
実施例５のペンホルダーにおける係着部６には、紙等を挟んで留める形状を設ける。
【００２４】次に、図５（ｂ）使用状態説明図（前面）、（ｃ）使用状態説明図（背面）を用いて、実施例５のペンホルダーの使用方法について説明する。
実施例５のペンホルダーを係着する際は、係着対象物８であるノート、またはメモ、または書籍の表紙などに挟んで係着させる。
【００２５】  実施例５のペンホルダーは挟んで係着させているので付け外しが容易である。また係着用器具９がないので、安価に製造することができる。
【００２６】  以下は、図６（ａ）正面図を用いた、実施例６のペンホルダーの形態についての説明である。
実施例６のペンホルダーにおける係着部６には、挟み込む箇所に合わせた形状を設ける。
【００２７】  次に、図６（ｂ）使用状態説明図（前面）、（ｃ）使用状態説明図（背面）を用いて、実施例６のペンホルダーの使用方法について説明する。
実施例６のペンホルダーを係着する際は、携帯電話１２と携帯電話ケース１３の間に挟み込み係着させる。また差し込む箇所は、携帯電話と携帯電話ケースの間に限らず、ノートパソコンやノートパソコンのケースの間、デジタルカメラとデジタルカメラのケースの間などでもよい。
【００２８】  実施例６のペンホルダーは、携帯電話やデジタルカメラなどの画面や操作ボタンが多く、係着させる箇所が少ない製品に対し、製品の使用に邪魔にならずに係着させることができる。
【００２９】  以下は、図７（ａ）（ｄ）正面図を用いた、実施例７のペンホルダーの形態についての説明である。
実施例７のペンホルダーにおける係着部６には、ペン挿入部４とは別の係着に必要な穴１６を設ける。
【００３０】  次に、図７（ｂ）使用状態説明図（前面）、（ｃ）使用状態説明図（背面）、（ｅ）使用状態説明図を用いて、実施例７のペンホルダーの使用方法について説明する。
実施例７のペンホルダーを係着する際は、穴１６を利用する。たとえば、穴１６にゴムを通してのノートや手帳に掛けたり、スケジュール帳やノートのリングを通したり、画鋲などを通し、壁に取り付けたり、キーホルダーの部品を取り付けたり、ビスやハトメ、リベットなどで固定する。
【００３１】  実施例７のペンホルダーは、係着用器具９がないので、安価に製造することができる。また穴１６の形状を変えることで、上記のようにさまざまな係着に対応できる。
【００３２】  以下は、図８（ａ）正面図の、実施例８のペンホルダーの形態についての説明である。
実施例８のペンホルダーにおける、係着部６には引っ掛けるための形状を設ける。
【００３３】  次に、図８（ｂ）使用状態説明図（前面）、（ｃ）使用状態説明図（背面）を用いて、実施例８のペンホルダーの使用方法について説明する。
実施例８のペンホルダーを係着する際は、引っ掛けるための形状を利用して係着対象物８取り付ける。たとえば、備え付けのフックに掛けたり、リング製本ノートのリング部分に引っ掛けして使用する。
【００３４】  実施例８のペンホルダーはフックで係着させるので、付け外しが容易である。また係着用器具９がないので、安価に製造することができる。
【００３５】  以下は、図９（ａ）正面図を用いた、実施例９のペンホルダーの形態についての説明である。
実施例９のペンホルダーにおける、係着部６は係着以外の機能を有した様々な形態になっており、固定部３の機能であるペンの固定と合わせて使用できる様になっている。
【００３６】  実施例９のペンホルダーの使用方法の例について説明する。
実施例９のペンホルダーにおける、係着部６は、たとえば合成樹脂素材であり、ノートや手帳の本文と同じサイズ、形状になっていて、ノートに挟んで下敷きとして使用できる。
また、合成樹脂素材であり、Ａ４サイズのクリアファイルになっていて、書類を挟み、持ち歩くことができる。
また、合成樹脂素材であり、名刺サイズの名札になっていて、名刺を入れることができるようになっている。
また、合成樹脂素材であり、ベルトになっており、ペン２を固定したい箇所に巻き付けて使用できる。
以上のように、実施例９の係着部は、係着部自体が様々な機能を有した形態となっている。
【００３７】  実施例９のペンホルダーは、係着部６が例えばクリアファイルの機能を有しているとき、クリアファイルに実施例１のペンホルダーを係着させるよりも強度が強く、またクリアファイルと本発明であるペンホルダーを個別に製作するよりも安価に製造ができる。
【００３８】  以下は、図１０（ａ）正面図を用いた、本発明の実施例１０のペンホルダーの形態についての説明である。
実施例１０は、実施例１から実施例９と固定部３の実施形態が異なる。
実施例１０は、材質、製造方法、本体１にペン２を固定する方法及び、係着部６の実施形態において、実施例１から実施例９と同様であり、その説明と図を省略する。
【００３９】  実施例１０のペンホルダーは、固定部３の一端にペンを保持するためのペン保持部１８と、他端にペンのクリップ部の付け根を固定するためのクリップ受止部５を設ける。
ペン保持部１８の形状は植物のゼンマイの様に先端が内側に向かって渦巻状になっている。
クリップ受止部５の形態は、実施例１のペンホルダーと同様である。
【００４０】  実施例１０のペンホルダーは、ペン２を挿入するペン保持部１８の内側部分が開放されているため、ペン保持部１８の内側部分の径より太いペンでも使用が可能である。
【符号の説明】
【００４１】  １    本体
２    ペン
３    固定部
４    ペン挿入部
５    クリップ受止部
６    係着部
７    切り込み
８    係着対象物
９    係着用器具
１０  磁石板
１１  糸
１２  携帯電話
１３  携帯電話のケース
１４  ネジ
１５  ナット
１６  穴
１７  ゴムバンド
１８  ペン保持部
【要約】
【課題】  製造が容易で、ペンがしっかり固定されるペンホルダーを提供する。
【解決手段】  ペンを固定するための固定部と係着用の器具を取り付けるための係着部とを設け、固定部の一端にペンを通すためのペン挿入部と他端にクリップ部を有したペンのクリップの付け根を固定するためのクリップ受止部を設けた、弾性のある板状の材質から成るペンホルダーを提供する。
【選択図】図１【図１】
0005630678.tif 000002
【図２】
0005630678.tif 000003
【図３】
0005630678.tif 000004
【図４】
0005630678.tif 000005
【図５】
0005630678.tif 000006
【図６】
0005630678.tif 000007
【図７】
0005630678.tif 000008
【図８】
0005630678.tif 000009
【図９】
0005630678.tif 000010
【図１０】
0005630678.tif 000011
【図１１】
0005630678.tif 000012
【図１２】
0005630678.tif 000013